(57)【要約】【課題】微妙な位置調整がなしづらく、特に、角度のあるところで穿孔する場合の位置合わせが難しい。【解決手段】携帯式孔あけ機を斜めに固定すべく押当部材１の上面に配置される角変位手段２と、該角変位手段２を所定角度に保持するロック手段３とを備える。角変位手段２は、前記押当部材１の上面に配置される傾斜ベース板２ａと、該傾斜ベース板２ａの上面に回動自在に連結される角変位板２ｂとを備える。角変位板２ｂは、前記傾斜ベース板２ａの基端側に蝶番４を介して回動自在に連結されており、最高２０度の勾配になるように長孔２ｂ１　が形成される。ロック手段３は、傾斜ベース板２ａの側面に回動自在に突設されたロック軸３ａと、該ロック軸３ａに突設されて角変位板２ｂの必要以上の回動を阻止する一対のストッパー３ｂ，３ｂとを備えている。【選択図】　　図２
2004106088.tif 000002
【特許請求の範囲】
【請求項１】
リベット類の打設面や穿孔面等の固定部に当接される押当部材を使用する手工具であって、前記押当部材の上面に配置される角変位手段と、該角変位手段を所定角度に保持するロック手段とを備えてなることを特徴とする手工具用角度付け装置。
【請求項２】
前記角変位手段は、前記押当部材の上面に配置される傾斜ベース板と、該傾斜ベース板に回動自在に連結される角変位板とを備えてなることを特徴とする請求項１に記載の手工具用角度付け装置。
【請求項３】
前記ロック手段は、傾斜ベース板に回動自在に付設されたロック軸と、該ロック軸に突設されて角変位板の必要以上の回動を阻止するストッパーとを備えてなることを特徴とする請求項１に記載の手工具用角度付け装置。
【請求項４】
前記ロック軸は、傾斜ベース板の側面に回動自在に軸着されたスタッドネジであることを特徴とする請求項３に記載の手工具用角度付け装置。
【請求項５】
前記ストッパーは、ロック軸に螺旋溝を介して螺合されるナットであることを特徴とする請求項３に記載の手工具用角度付け装置。
【発明の詳細な説明】
【０００１】
【発明の属する技術分野】
本発明は、主として、橋梁、鉄塔、建築物等でのリベット類の交換や鋼板の穿孔作業に最適な携帯式孔あけ機用の角度付け装置に関し、更に詳しくは、リベット類の打設位置や穿孔位置に簡単かつ正確に合わせることができる他、角度のあるところでの穿孔作業も簡単にできる有用な手工具用角度付け装置に存する。
【０００２】
【従来の技術】
従来、斯かる携帯式孔あけ機としては、例えば、電気ドリルを垂直に固定するためのスライド部と、垂直に固定された電気ドリルのスピンドルアーバを支持するためのブラケット部と、該ブラケット部の下位に配置されてリベットの打設面に当接される押当部材とを備えたものが従来例として周知である（例えば、特許文献１参照）。
【特許文献１】
特開２０００−２３７９０７号公報
【０００３】
【発明が解決しようとする課題】
しかしながら、上述した従来の携帯式孔あけ機にあっては、前記押当部材に当接面が平坦に形成されたマグネット板を使用しているため、本体を簡単に打設面に磁力で吸着させることができるものの、一旦、打設面に付いた本体を簡単に打設面から離したり、ずらすことがでぎないため、微妙な位置調整がなしづらく、特に、角度のあるところで穿孔する場合の位置合わせが難しいといった問題を有するものである。
【０００４】
本発明はこのような従来の問題点に鑑みてなされたもので、電気ドリル等の先端刃部とリベット若しくは穿孔位置との微妙な位置合わせが簡単かつ自由に行うことができる他、角度をつけた穿孔作業も簡単にできる有用な手工具用角度付け装置の提供を目的としたものである。
【０００５】
【課題を解決するための手段】
上述の如き従来の問題点を解決し、所期の目的を達成するため本発明の要旨とする構成は、リベット類の打設面や穿孔面等の固定部に当接される押当部材を使用する手工具であって、前記押当部材の上面に配置される角変位手段と、該角変位手段を所定角度に保持するロック手段とを備えてなる手工具用角度付け装置に存する。
【０００６】
また、前記角変位手段は、前記押当部材の上面に配置される傾斜ベース板と、該傾斜ベース板に回動自在に連結される角変位板とを備えるのが良い。
【０００７】
更に、前記ロック手段は、傾斜ベース板に回動自在に付設されたロック軸と、該ロック軸に突設されて角変位板の必要以上の回動を阻止するストッパーとを備えてなるのが良い。
【０００８】
また、前記ロック軸には、傾斜ベース板の側面に回動自在に軸着されたスタッドネジを、前記ストッパーには、ロック軸に螺旋溝を介して螺合されるナットを使用するのが良い。
【０００９】
このように構成される本発明の手工具用角度付け装置は、リベット類の打設面や穿孔面等の固定部に当接される押当部材を使用する手工具であって、前記押当部材の上面に配置される角変位手段と、該角変位手段を所定角度に保持するロック手段とを備えてなることによって、押当部材を動かすことなく携帯式孔あけ機（本体）のみを任意な角度に変位し、不動状態に固定し得ることとなる。
【００１０】
また、前記角変位手段は、前記押当部材の上面に配置される傾斜ベース板と、該傾斜ベース板に回動自在に連結される角変位板とを備えることによって、角変位板の回動に応じて携帯式孔あけ機（本体）の取付角度を鋭角になし得ることとなる。
【００１１】
更に、前記ロック手段が、傾斜ベース板に回動自在に付設されたロック軸と、該ロック軸に突設されて角変位板の必要以上の回動を阻止するストッパーとを備えてなることによって、手工具の重みによる安易な倒れを阻止し得ることとなる。
【００１２】
また、前記ロック軸が、傾斜ベース板の側面に回動自在に軸着されたスタッドネジであることによって、軸着部を中心としてロック軸が自由な角度に傾き得ることとなる。
【００１３】
また、前記ストッパーが、ロック軸に螺旋溝を介して螺合されるナットであることによって、角変位板の着脱操作が簡単かつ堅固になし得ることとなる。
【００１４】
【発明の実施の形態】
次に、本発明の実施の一例を図面を参照しながら説明する。図中Ａは、本発明に係る角度付け装置Ａであり、この角度付け装置Ａは、図１に示すように、携帯式孔あけ機Ｂを斜めに固定すべく押当部材１の上面に配置される角変位手段２と、該角変位手段２を所定角度に保持するロック手段３とを備えている。
【００１５】
押当部材１は、当接面が平坦に形成されたマグネット板（例えば１００×２００ｍｍ）を使用しており、通電されることにより磁力が働き［最大磁力９８００Ｎ（１００００ｋｇｆ）］、鋼板に堅固に吸着できる。因に、押当部材１そのものを磁性を帯びさせた金属材料（磁性体）で成形しても良い。
【００１６】
角変位手段２は、図２に示すように、前記押当部材１の上面に配置される傾斜ベース板２ａと、該傾斜ベース板２ａの上面に回動自在に連結される角変位板２ｂとを備えている。
【００１７】
傾斜ベース板２ａは、上面が左上がり勾配１０度の傾斜面を有しており、図３に示すように、底面に押当部材１を取り付けるための連結支持板２ｃが配設されている。
【００１８】
この連結支持板２ｃは、例えば、押当部材１上に付着できる磁性体からなり、かつ、傾斜ベース板２ａが左右何れにも回動できるように同傾斜ベース板２ａと連結支持板２ｃとを回転軸２ｄを介して軸止めしている。
【００１９】
角変位板２ｂは、前記傾斜ベース板２ａの基端側に蝶番４を介して回動自在に連結されており、最高２０度の勾配になるように長孔２ｂ１　が形成されている。この長孔２ｂ１　は、後述するロック軸３ａの傾斜角度に応じて同角変位板２ｂが蝶番４を中心に回動できるように穿設されている。
【００２０】
一方、ロック手段３は、傾斜ベース板２ａの側面に回動自在に突設されたロック軸３ａと、該ロック軸３ａに突設されて角変位板２ｂの必要以上の回動を阻止する一対のストッパー３ｂ，３ｂとを備えている。
【００２１】
ロック軸３ａは、取付基部３ｃが傾斜ベース板２ａの側面に取付軸３ｄを介して回動自在に連結されたスタッドネジからなり、取付軸３ｄを中心として自由な角度に傾斜できる。
【００２２】
ストッパー３ｂ，３ｂは、ロック軸３ａに螺旋溝（図示せず）を介して螺合される一対のロックナットからなり、角変位板２ｂを挟むべく同角変位板２ｂの上下面に螺合されている。
【００２３】
他方、携帯式孔あけ機（アトラ）Ｂは、例えば、電源：ＡＣ２００Ｖ、単相：５０／６０Ｈｚ、消費電力：１０１０Ｗ、定格電流：５．２Ａ、無負荷回転速度：４００／７５０ｒｐｍの電気ドリルからなり、手で掴まれるためのサイドハンドル５と、オイルドロッパ６及びスピンドルアーバ７とを有し、先端側に刃物８を取り替え自在に備えている。
【００２４】
刃物８には、孔あけ用とリベット破砕用とがあり、用途に応じてワンタッチで取り替えられるように、先端側にアダプター９が付設されており、更には、必要に応じて、コーナー型ドリルアタッチメントやリーマー型ドリルアタッチメント等にも取り替え使用できることは云うまでもない。
【００２５】
このように構成される本発明の角度付け装置Ａは、角変位板２ｂの上に電気ドリルＢをボルト止めするだけで、携帯式孔あけ機（アトラ）Ｂを所定の角度（１０度）に設置することができる他、ストッパー３ｂの位置を直すだけで、押当部材１を動かすことなく携帯式孔あけ機（本体）のみを任意な角度で不動状態に固定でき、角度をつけた穿孔作業も簡単にできる。
【００２６】
尚、本発明の手工具用角度付け装置Ａは、本実施例に限定されることなく、本発明の目的の範囲内で自由に設計変更し得るものであり、本発明はそれらの全てを包摂するものである。例えば、押当部材１の底面にリベットを許容する狭持溝を形成したり、一対のクランプ（図示せず）を介して押当部材１を対向配置に離間させても良い。
【００２７】
換言すれば、リベットを許容する狭持溝が形成すれば、仮令、リベットが沢山打設されているところであっても、各リベットを許容できるため、邪魔になることなく鉄骨面（打設面）に対し垂直に当接でき、また、予め、押当部材１を一対のクランプを介して対向配置に離間させておくことにより、仮令、どんな大きさのリベットであっても、同リベットにフィットすべく狭持できる。
【００２８】
また、押当部材１には、長手方向端縁に沿って複数の縦溝と一条の溝とを形成しても良い。蓋し、仮令、ヘッドが半球状のリベットであっても滑ることなく上手く狭持でき、ガタつきに起因する刃物８の破損をも阻止できるからである。
【００２９】
また、本実施例の押当部材１には、当接面が平坦に形成されたマグネット板を使用しているが、これに限定されることなく、穿孔、打設、打抜、切断、破砕等に使用される工具類の用途、種類に応じて形態が変わるものであり、これらの刃部を支えるもの、位置合わせの基準（ベース）に供されるものであれば、どのような形態のものでも良い。
【００３０】
因に、本明細書で言及している「リベット類」とは、リベットのみに限定されることなく、ボルト、ナット、釘、ネジ、溶着部位等を総称するものであり、また、「手工具」とは、本実施例で示した携帯用孔あけ機（アトラ）のみならず、打抜、切抜、型抜、押抜、切断若しくは破砕の他、ボルト締め等に使用される全ての手工具を総称するものであり、本発明はこれら全てを包摂するものである。
【００３１】
【発明の効果】
本発明は上述のように構成され、リベット類の打設面や穿孔面等の固定部に当接される押当部材を使用する手工具であって、前記押当部材の上面に配置される角変位手段と、該角変位手段を所定角度に保持するロック手段とを備えてなることによって、押当部材を動かすことなく携帯式孔あけ機（本体）のみを任意な角度に変位し、不動状態に固定できるといった効果を奏するものである。
【００３２】
また、前記角変位手段は、前記押当部材の上面に配置される傾斜ベース板と、該傾斜ベース板に回動自在に連結される角変位板とを備えることによって、角変位板の回動に応じて携帯式孔あけ機（本体）の取付角度を簡単に変更することができるといった効果を奏するものである。
【００３３】
更に、前記ロック手段が、傾斜ベース板に回動自在に付設されたロック軸と、該ロック軸に突設されて角変位板の必要以上の回動を阻止するストッパーとを備えてなることによって、手工具の重みによる安易な倒れを阻止できるといった効果を奏するものである。
【００３４】
また、前記ロック軸が、傾斜ベース板の側面に回動自在に軸着されたスタッドネジであることによって、軸着部を中心としてロック軸が自由な角度に傾くため、電気ドリル等の先端刃部とリベット若しくは穿孔との微妙な角度合わせも簡単かつ自由に行うことができるといった効果を奏するものである。
【００３５】
また、前記ストッパーが、ロック軸に螺旋溝を介して螺合されるロックナットであることによって、角変位板の角度変更操作が簡単かつ堅固にできるといった効果を奏するものである。
【００３６】
このように本発明に係る手工具用角度付け装置は、押当部材を動かすことなく（不動のままで）自由に角変位できるため、電気ドリル等の先端刃部とリベット若しくは穿孔位置の微妙な角度合わせも簡単かつ自由に行うことができるなど、一連の破砕作業の効率及び孔あけ精度を高めることができるものであり、また、構成が単純であるため大量生産に適し、価格も低廉なものとして需要者に提供できるなど、本発明を実施することはその実益的価値が甚だ大である。
【図面の簡単な説明】
【図１】本発明に係る角度付け装置を備えた携帯式孔あけ機を示す斜視図である。
【図２】同角度付け装置を示す斜視図である。
【図３】同角度付け装置の縦断面図である。
【図４】同角度付け装置の変位状態を示す説明図である。
【符号の説明】
Ａ　角度付け装置
Ｂ　電気ドリル
１　押当部材
２　角変位手段
２ａ　傾斜ベース板
２ｂ　　角変位板
２ｂ１　長孔
２ｃ　連結支持板
２ｄ　回転軸
３　ロック手段
３ａ　　ロック軸
３ｂ　　ストッパー
３ｃ　取付基部
３ｄ　取付軸
４　　蝶番
５　サイドハンドル
６　オイルドロッパ
７　スピンドルアーバ
８　刃物
９　アダプター
【図１】
2004106088.tif 000003
【図２】
2004106088.tif 000004
【図３】
2004106088.tif 000005
【図４】
2004106088.tif 000006